【手続補正書】
【提出日】平成26年11月17日(2014.11.17)
【手続補正１】
【補正対象書類名】特許請求の範囲
【補正対象項目名】全文
【補正方法】変更
【補正の内容】
【特許請求の範囲】
【請求項１】
予め設定されたユーザの管理範囲毎に、画像形成装置に対するアプリケーションの適用を管理する管理装置であって、
前記管理範囲に属する画像形成装置に共通して適用対象となるアプリケーションに関する情報であって、少なくとも前記アプリケーションの識別情報と該アプリケーションの適用条件とを含む基本情報を記憶する基本情報記憶手段と、
前記画像形成装置から、ネットワークを介して、該画像形成装置に適用するアプリケーションに関する情報の取得要求であって、該画像形成装置において変更があった該画像形成装置の機器の構成情報を含む情報取得要求を受け付ける要求受け付け手段と、
前記受け付けられた情報取得要求が含む前記機器の構成情報が前記基本情報に含まれる前記アプリケーションの適用条件を満たすかを判断する第１の判断手段と、
前記第１の判断手段が前記機器の構成情報が前記基本情報に含まれる前記アプリケーションの適用条件を満たすと判断した場合に、前記情報取得要求の送信元の画像形成装置が該アプリケーションを適用するために必要な情報を含むアプリケーション情報を生成する情報生成手段と、
前記生成されたアプリケーション情報を前記ネットワークを介して前記情報取得要求の送信元の画像形成装置に対して送信する情報送信手段とを備える
ことを特徴とする管理装置。
【請求項２】
前記ユーザが利用する該ユーザの管理範囲に属する画像形成装置に対して適用されるアプリケーションのライセンスに関する情報であって、少なくとも該ユーザに割り当てられたライセンスのライセンス数とライセンス残数とを含むライセンス情報を記憶するライセンス情報記憶手段と、
前記ライセンス情報記憶手段に記憶されたライセンス情報に含まれる該アプリケーションに対応するライセンス残数に基づいて、前記画像形成装置へのアプリケーションの適用に利用するライセンスがあるかを判断する第２の判断手段を有し、
前記情報生成手段は、前記第１の判断手段が前記機器の構成情報が前記基本情報に含まれる前記アプリケーションの適用条件を満たすと判断し、かつ、前記第２の判断手段が前記画像形成装置へのアプリケーションの適用に利用するライセンスがあると判断した場合に、前記情報取得要求の送信元の画像形成装置が該アプリケーションを適用するために必要な情報を含むアプリケーション情報を生成することを特徴とする請求項１に記載の管理装置。
【請求項３】
前記基本情報が、さらに、前記第２の判断手段が前記画像形成装置へのアプリケーションの適用に利用するライセンスがないと判断した場合に該アプリケーションの適用対象となる画像形成装置に縮退動作を指示する制御情報を含んでおり、
前記第２の判断手段が前記画像形成装置へのアプリケーションの適用に利用するライセンスがないと判断した場合に、前記情報生成手段が、前記基本情報から該アプリケーションに対応する前記制御情報を取得し、取得した制御情報を含む前記アプリケーション情報を生成し、前記情報送信手段が、該生成されたアプリケーション情報を前記情報取得要求の送信元の画像形成装置に対して送信する
ことを特徴とする請求項２に記載の管理装置。
【請求項４】
前記管理範囲に属する画像形成装置の機器の構成情報を記憶する機器情報記憶手段と、
前記基本情報の更新要求を前記ネットワークを介して受け付け、前記基本情報の更新要求に応じて、前記基本情報記憶手段に記憶されている該基本情報を更新する基本情報更新手段を備え、
前記基本情報が更新されたことを契機として、前記第１の判断手段が、前記機器情報記憶手段に記憶された機器の構成情報が前記更新された基本情報に含まれる前記アプリケーションの適用条件を満たすかを判断し、前記機器の構成情報が前記更新された基本情報に含まれる前記アプリケーションの適用条件を満たすと判断された場合に、前記第２の判断手段が、前記ライセンス情報記憶手段に記憶されたライセンス情報に含まれる該アプリケーションに対応するライセンス残数に基づいて、前記画像形成装置へのアプリケーションの適用に利用するライセンスがあるかを判断し、前記画像形成装置へのアプリケーションの適用に利用するライセンスがあると判断された場合に、前記情報生成手段が、前記基本情報に対応する管理範囲に属する画像形成装置に対応する前記アプリケーション情報を生成して記憶手段に記憶する
ことを特徴とする請求項２または請求項３に記載の管理装置。
【請求項５】
前記第２の判断手段が前記画像形成装置へのアプリケーションの適用に利用するライセンスがあると判断した場合に、画像形成装置が該アプリケーションを適用するために必要なライセンスファイルを生成するライセンスファイル生成手段を備え、
前記情報生成手段が、前記生成されたライセンスファイルを含む前記アプリケーション情報を記憶手段に記憶し、
前記情報送信手段が、前記ライセンスファイルを含むアプリケーション情報を前記情報取得要求の送信元の画像形成装置に対して送信する
ことを特徴とする請求項２乃至４のいずれか１項に記載の管理装置。
【請求項６】
前記第２の判断手段が、前記画像形成装置へのアプリケーションの適用に利用するライセンスがあると判断した場合に、前記情報生成手段が、前記ライセンス情報記憶手段に記憶されたライセンス情報に含まれる該ライセンスのライセンス数に基づいて、該ライセンスが前記管理装置が管理する全ての画像形成装置に共通のライセンスであるか否かを判断し、該ライセンスが前記共通のライセンスである場合に、予め決められた該共通のライセンスに対応するライセンスファイルを含む前記アプリケーション情報を記憶手段に記憶し、該ライセンスが前記共通のライセンスでない場合に、前記第１の判断手段によって機器の構成情報が前記アプリケーションの適用条件を満たすと判断された画像形成装置に対応するライセンスファイルを含む前記アプリケーション情報を記憶手段に記憶する
ことを特徴とする請求項５に記載の管理装置。
【請求項７】
請求項１乃至６のいずれか１項に記載の前記管理装置と前記画像形成装置とを備える情報処理システムであって、
前記画像形成装置は、
前記ネットワークを介して、前記情報取得要求を送信する要求送信手段と、
前記情報取得要求に応じた前記管理装置から、該管理装置が生成したアプリケーション情報を前記ネットワークを介して受信する情報受信手段と、
前記受信したアプリケーション情報に基づいて、該アプリケーション情報に対応するアプリケーションを該画像形成装置に適用する適用手段とを備える
ことを特徴とする情報処理システム。
【請求項８】
予め設定されたユーザの管理範囲毎に、画像形成装置に対するアプリケーションの適用を管理する管理装置における管理方法であって、
前記管理装置は、前記管理範囲に属する画像形成装置に共通して適用対象となるアプリケーションに関する情報であって、少なくとも前記アプリケーションの識別情報と該アプリケーションの適用条件とを含む基本情報を記憶する基本情報記憶手段と、
を備えており、
前記管理装置が、前記画像形成装置から、ネットワークを介して、該画像形成装置に適用するアプリケーションに関する情報の取得要求であって、該画像形成装置において変更があった該画像形成装置の機器の構成情報を含む情報取得要求を受け付ける工程と、
前記管理装置が、前記受け付けられた情報取得要求が含む前記機器の構成情報が前記基本情報に含まれる前記アプリケーションの適用条件を満たすかを判断する工程と、
前記管理装置が、前記機器の構成情報が前記基本情報に含まれる前記アプリケーションの適用条件を満たすと判断した場合に、前記情報取得要求の送信元の画像形成装置が該アプリケーションを適用するために必要な情報を含むアプリケーション情報を生成する工程と、
前記管理装置が、前記生成されたアプリケーション情報を前記ネットワークを介して前記情報取得要求の送信元の画像形成装置に対して送信する工程とを有する
ことを特徴とする管理方法。
【請求項９】
前記管理装置は、前記ユーザが利用する該ユーザの管理範囲に属する画像形成装置に対して適用されるアプリケーションのライセンスに関する情報であって、少なくとも該ユーザに割り当てられたライセンスのライセンス数とライセンス残数とを含むライセンス情報を記憶するライセンス情報記憶手段と、をさらに備え、
前記管理装置が、前記ライセンス情報記憶手段に記憶されたライセンス情報に含まれる該アプリケーションに対応するライセンス残数に基づいて、前記画像形成装置へのアプリケーションの適用に利用するライセンスがあるかを判断する工程を有し、
前記管理装置が、前記機器の構成情報が前記基本情報に含まれる前記アプリケーションの適用条件を満たすと判断し、かつ、前記画像形成装置へのアプリケーションの適用に利用するライセンスがあると判断した場合に、前記情報取得要求の送信元の画像形成装置が該アプリケーションを適用するために必要な情報を含むアプリケーション情報を生成することを特徴とする請求項８に記載の管理方法。
【手続補正２】
【補正対象書類名】明細書
【補正対象項目名】０００７
【補正方法】変更
【補正の内容】
【０００７】
本発明の一実施形態の管理装置は、予め設定されたユーザの管理範囲毎に、画像形成装置に対するアプリケーションの適用を管理する管理装置である。前記管理装置は、前記管理範囲に属する画像形成装置に共通して適用対象となるアプリケーションに関する情報であって、少なくとも前記アプリケーションの識別情報と該アプリケーションの適用条件とを含む基本情報を記憶する基本情報記憶手段と、前記画像形成装置から、ネットワークを介して、該画像形成装置に適用するアプリケーションに関する情報の取得要求であって、該画像形成装置において変更があった該画像形成装置の機器の構成情報を含む情報取得要求を受け付ける要求受け付け手段と、前記受け付けられた情報取得要求が含む前記機器の構成情報が前記基本情報に含まれる前記アプリケーションの適用条件を満たすかを判断する第１の判断手段と、前記第１の判断手段が前記機器の構成情報が前記基本情報に含まれる前記アプリケーションの適用条件を満たすと判断した場合に、前記情報取得要求の送信元の画像形成装置が該アプリケーションを適用するために必要な情報を含むアプリケーション情報を生成する情報生成手段と、前記生成されたアプリケーション情報を前記ネットワークを介して前記情報取得要求の送信元の画像形成装置に対して送信する情報送信手段とを備える。
【手続補正３】
【補正対象書類名】図面
【補正対象項目名】図３
【補正方法】変更
【補正の内容】
【図３】
2013109385.tif 000001